(57)【要約】【課題】伝送路のスループットを下げることなく、伝送されるデータの品質を高めることができる送信装置および受信装置を提供する。【解決手段】送信側の無線器１のデータ分割部１２でコントローラ１１からの送信データを優先度が高いデータ部分Ｐと優先度が低いデータ部分Ｓに分割して符号化部１３＿２，１３＿３で符号化し、さらにインターリーバ１４＿２，１４＿３でインターリーブ処理して、マッパ１５で受信電界強度が強い領域，弱い領域にデータ部分Ｐ，データ部分Ｓをマッピングして、周波数別送信部１６で強度相対的に優先度が高い時間帯にデータ部分Ｐを受信側の無線器２に送信する。【選択図】        図１
2004236154.tif 000002
【特許請求の範囲】
【請求項１】
送信しようとする送信データを優先度に応じて複数のデータ部分に分割するデータ分割部と、
送信しようとする送信データの受信先での受信電界強度の時間変化の情報を取得する受信電界強度変化取得部と、
前記データ分割部で分割された送信データを、前記受信電界強度変化取得部で取得した受信電界強度の時間変化に応じて、優先度が高いデータ部分が該受信電界強度が相対的に強い領域に対応するように並べ換えるデータ並べ換え部と、
前記データ並べ換え部で並べ換えられた後の送信データを、受信先に向けて、受信電界強度が相対的に強い時間帯に前記優先度が高いデータ部分が送信されるタイミングで送信するデータ送信部とを備えたことを特徴とする送信装置。
【請求項２】
前記データ並べ換え部は、前記データ分割部で分割する前の送信データと同一のデータを復元するための情報を、少なくとも前記優先度の高いデータ部分に付加した送信データを生成するものであることを特徴とする請求項１記載の送信装置。
【請求項３】
データを受信するデータ受信部を備え、前記受信電界強度変化取得部は、前記受信先の通信機から送信され該データ受信部で受信したデータから該受信先での受信電界強度の時間変化の情報を取得するものであることを特徴とする請求項１記載の送信装置。
【請求項４】
前記データ送信部は、前記データ並び換え部で並べ換えられた後の送信データを複数のチャネルを使って送信するものであって、
前記受信電界強度変化取得部は、前記受信先における、前記複数のチャネルそれぞれについての受信電界強度の時間変化の情報を取得するものであり、
前記データ並べ換え部は、前記データ分割部で分割された送信データを、前記受信電界強度変化取得部で取得した該複数のチャネルそれぞれの受信電界強度の時間変化に応じて、受信電界強度が相対的に強い領域に前記優先度が高いデータ部分が対応するように並べ換えるものであることを特徴とする請求項１記載の送信装置。
【請求項５】
送信元で優先度に応じて並べ換えが行なわれた後のデータを受信するデータ受信部と、
前記データ受信部で受信されたデータを、該送信元でデータの並べ換えを行なう前のデータと同一のデータを復元するデータ復元部と、
前記データ受信部でデータを受信したときの受信電界強度の時間変化を検出する受信電界強度変化検出部と、
前記受信電界強度変化検出部で検出された受信電界強度の時間変化の情報を含むデータを前記送信元に向けて送信するデータ送信部とを備えたことを特徴とする受信装置。
【発明の詳細な説明】
【０００１】
【発明の属する技術分野】
本発明は、送信装置および受信装置に関する。
【０００２】
【従来の技術】
携帯電話、無線ＬＡＮなどに代表される移動体無線方式を採用した送信装置と受信装置との間で通信を行なう場合、それら送信装置，受信装置間の経路に関する伝送状況の変動（フェージング）により、受信側で受信される電波の強度（受信電界強度と称する）が弱くなるという現象が発生する。ここで、フェージングによる受信電界強度の分布とその周期は、屋外や屋内等の使用環境に応じて想定することができる。そこで、受信電界強度を測定し、測定した結果に基づいて、フェージングによる受信電界強度の分布とその周期の予測を立てることによって、フェージングに対応するということが行なわれている（例えば、非特許文献１参照）。
【０００３】
この非特許文献１によれば、フェージングにより受信電界強度が弱まることをあらかじめ予測し、予測した結果に応じて、送信側でデータの誤り訂正の冗長度を高めたり、あるいは送信電力を増大したり、さらにはデータを送信しない等の技術が提案されている。
【０００４】
【非特許文献１】
３ＧＰＰ  ＴＲ２５．８５５（ｗｗｗ．３ｇｐｐ．ｏｒｇ／ｆｔｐ    ／Ｓｐｅｃｓ／ａｒｃｈｉｖｅ／２５＿ｓｅｒｉｅｓ／２５．８５５
／２５８５５−５００．ｚｉｐ）
【０００５】
【発明が解決しようとする課題】
しかし、上述した非特許文献１に提案された技術では、送信側で如何に誤り訂正の冗長度を高めてもあるいは送信電力を増大しても、受信側で受信されるデータに誤りが発生する場合があり、その場合、例えば音声が乱れたり画像に欠陥が発生するという問題がある。このような問題を解決するために、送信側でデータを送信しないようにすると、伝送路のスループットが低下するという問題が発生する。
【０００６】
本発明は、上記事情に鑑み、伝送路のスループットの低下を抑えたまま、伝送されるデータの品質を高めることができる送信装置および受信装置を提供することを目的とする。
【０００７】
【課題を解決するための手段】
上記目的を達成する本発明の送信装置は、
送信しようとする送信データを優先度に応じて複数のデータ部分に分割するデータ分割部と、
送信しようとする送信データの受信先での受信電界強度の時間変化の情報を取得する受信電界強度変化取得部と、
上記データ分割部で分割された送信データを、上記受信電界強度変化取得部で取得した受信電界強度の時間変化に応じて、優先度が高いデータ部分がその受信電界強度が相対的に強い領域に対応するように並べ換えるデータ並べ換え部と、上記データ並べ換え部で並べ換えられた後の送信データを、受信先に向けて、受信電界強度が相対的に強い時間帯に上記優先度が高いデータ部分が送信されるタイミングで送信するデータ送信部とを備えたことを特徴とする。
【０００８】
本発明の送信装置は、送信しようとする送信データを優先度に応じて複数のデータ部分に分割し、それら分割されたデータ部分を受信電界強度の時間変化に応じて並べ換えて送信データとして、受信先に向けて、受信電界強度が相対的に強い時間帯に、優先度が高いデータ部分が送信されるタイミングで送信するものである。このため、フェージングにより受信電界強度が相対的に強い時間帯（良好な伝送路が期待される時間帯）に優先度が高いデータ部分を送信し、フェージングにより受信電界強度が相対的に弱い時間帯（劣悪な伝送路が予想される時間帯）に優先度が低いデータ部分を送信することができ、受信先で受信されるデータの劣化による問題が実質的に解消される。従って、受信側でデータに誤りが発生した場合に送信側でデータの送信を止める必要もなく伝送路のスループットを下げることなく、伝送されるデータの品質を高めることができる。
【０００９】
ここで、上記データ並べ換え部は、上記データ分割部で分割する前の送信データと同一のデータを復元するための情報を、少なくとも上記優先度の高いデータ部分に付加した送信データを生成するものであることが好ましい。
【００１０】
このようにすると、受信先で品質の高いデータを簡単に復元することができる。
【００１１】
また、データを受信するデータ受信部を備え、上記受信電界強度変化取得部は、上記受信先の通信機から送信されそのデータ受信部で受信したデータからその受信先での受信電界強度の時間変化の情報を取得するものであることも好ましい態様である。
【００１２】
このような受信部を備えると、受信電界強度変化取得部は、受信先での受信電界強度の時間変化の情報を簡単に取得することができる。
【００１３】
さらに、上記データ送信部は、上記データ並べ換え部で並べ換えられた後の送信データを複数のチャネルを使って送信するものであって、
上記受信電界強度変化取得部は、上記受信先における、上記複数のチャネルそれぞれについての受信電界強度の時間変化の情報を取得するものであり、
上記データ並べ換え部は、上記データ分割部で分割された送信データを、上記受信電界強度変化取得部で取得したそれら複数のチャネルそれぞれの受信電界強度の時間変化に応じて、受信電界強度が相対的に強い領域に上記優先度が高いデータ部分が対応するように並べ換えるものであることも好ましい。
【００１４】
このようにすると、受信先に向けて、周波数のバンド毎に、フェージングによる受信電界強度が相対的に強い時間帯に優先度が高いデータ部分を送信することができる。
【００１５】
また、上記目的を達成する本発明の受信装置は、
送信元で優先度に応じて並べ換えが行なわれた後のデータを受信するデータ受信部と、
上記データ受信部で受信されたデータを、その送信元でデータの並べ換えを行なう前のデータと同一のデータを復元するデータ復元部と、
上記データ受信部でデータを受信したときの受信電界強度の時間変化を検出する受信電界強度変化検出部と、
上記受信電界強度変化検出部で検出された受信電界強度の時間変化の情報を含むデータを上記送信元に向けて送信するデータ送信部とを備えたことを特徴とする。
【００１６】
本発明の受信装置は、送信元でデータの並べ換えを行なう前のデータと同一のデータを復元するとともに、受信電界強度の時間変化の情報を含むデータを上記送信元に向けて送信するものであるため、送信装置からの、フェージングにより受信電界強度が相対的に強い時間帯に優先度が高いデータ部分を復元するとともに受信電界強度が相対的に弱い時間帯に優先度が低いデータ部分を復元することができる。従って、受信側でデータに誤りが発生した場合に送信側でデータの送信を止める必要もなく伝送路のスループットを下げることなく、伝送されるデータの品質を高めることができる。
【００１７】
【発明の実施の形態】
以下、本発明の実施形態について説明する。
【００１８】
図１は、本発明の送信装置および受信装置双方の第１実施形態を示すブロック図である。
【００１９】
図１には、本発明の送信装置の第１実施形態である無線器１と、本発明の受信装置の第１実施形態である無線器２が示されている。これら無線器１と無線器２は、伝送路を介して、単一の周波数帯域（搬送波が１つである１つのみのチャネル）におけるデータ通信を行なう。
【００２０】
無線器１には、コントローラ１１と、データ分割部１２と、符号化部１３＿１，１３＿２，１３＿３と、インターリーバ１４＿１，１４＿２，１４＿３と、マッパ１５と、周波数別送信部１６と、データ受信部１７とが備えられている。
【００２１】
コントローラ１１は、例えば（１，０）のようなあらかじめわかっているパイロットデータからなるパイロットシンボルを符号化部１３＿１に向けて出力する。また、このコントローラ１１は、データシンボルである送信データをデータ分割部１２に向けて出力する。さらに、このコントローラ１１は、データ受信部１７からの情報を取得する。
【００２２】
符号化部１３＿１は、入力されたパイロットシンボルを符号化（コード化）してインターリーバ１４＿１に出力する。
【００２３】
インターリーバ１４＿１は、送信にあたり、符号化されたパイロットシンボルの誤り訂正能力を高めるためにそのパイロットシンボルのビット配置をランダムに変更するインターリーブ処理を行なって、周波数別送信部１６に出力する。
【００２４】
データ分割部１２は、コントローラ１１から送信しようとする送信データを受信先に確実に受信させる優先度に応じて複数のデータ部分（ここでは、２つのデータ部分Ｐおよびデータ部分Ｓ）に分割する。Ｐ部は優先度が高いもの、Ｓ部は優先度が低いものであり、それぞれ、符号化部１３＿２，１３＿３に入力される。ここで、データ部分Ｐ（プライマリ）は、フェージングにより受信電界強度が相対的に強い時間帯（良好な伝送路が期待される時間帯）に送信される。一方、データ部分Ｓ（セカンダリ）は、フェージングにより受信電界強度が相対的に弱い時間帯（劣悪な伝送路が予想される時間帯）に送信される。
【００２５】
符号化部１３＿２，１３＿３は、入力されたデータ部分Ｐ，データ部分Ｓを構成するデータを符号化してインターリーバ１４＿２，１４＿３に出力する。
【００２６】
インターリーバ１４＿２，１４＿３は、符号化されたデータ部分Ｐ，データ部分Ｓを構成するデータの誤り訂正能力を高めるためにそれらデータ部分Ｐ，データ部分Ｓを構成するデータのビット配置をランダムに変更するインターリーブ処理を行なって、マッパ１５に出力する。
【００２７】
マッパ１５は、本発明の送信装置にいうデータ並べ換え部の一例に相当し、データ分割部１２で分割され符号化部１３＿２，１３＿３，インターリーバ１４＿２，１４＿３を経由した後のデータ部分Ｐ，データ部分Ｓからなる送信データを、データ受信部１７で取得した受信電界強度の時間変化パターンに応じて並び換える。即ち、受信先に確実に受信させる優先度が高いデータ部分をその受信電界強度が相対的に強い領域に対応するように並べ換える。さらに、このマッパ１５は、データ分割部１２で分割する前の送信データと同一のデータを復元するための情報（送信データのどの部分がデータ部分Ｐ，データ部分Ｓであるかの情報（Ｆｏｒｍａｔ識別子、パケット通番等））を生成して、少くとも優先度の高いデータ部分であるデータ部分Ｐに付加し、もしくは、データ部分Ｐおよび優先度の低いデータ部分であるデータ部分Ｓに付加した送信データを生成する。
【００２８】
データ受信部１７は、無線器２からのデータを受信してコントローラ１１に出力する。
【００２９】
前述したコントローラ１１は、本発明の送信装置にいう受信電界強度変化取得部の役割をも担うものであり、このコントローラ１１は、送信しようとする送信データの受信先である無線器２での受信電界強度の時間変化の情報を取得する。具体的には、コントローラ１１は、受信先の無線器２から送信されデータ受信部１７で受信したデータから受信先での受信電界強度の時間変化の情報を取得する。
【００３０】
周波数別送信部１６は、本発明の送信装置にいうデータ送信部の一例に相当し、この周波数別送信部１６は、マッパ１５で並べ換えられた後の送信データを、個別データであるデータ部分Ｐおよびデータ部分Ｓおよび後述するフォーマット情報ＴＦＩとして、受信先である無線器２に向けて、受信電界強度が相対的に強い時間帯に優先度が高いデータ部分Ｐが送信されるタイミングで送信するとともに、受信電界強度が相対的に弱い時間帯に優先度が低いデータ部分Ｓが送信されるタイミングで送信する。
【００３１】
ここで、周波数別送信部１６は、後述する第２実施形態で説明するように複数の周波数帯域別に上記送信データの送信に用いられるものであるが、本実施形態の場合、１つの周波数帯域での送信に用いることを前提としている。
【００３２】
一方、無線器２には、周波数別受信部２１と、電界強度測定部２２と、移動平均外挿部２３と、コントローラ２４と、マッパ２５と、逆インターリーバ２６＿１，２６＿２と、誤り訂正部２７＿１，２７＿２と、データ合成部２８と、データ送信部２９とが備えられている。
【００３３】
周波数別受信部２１は、本発明の受信装置にいうデータ受信部の一例に相当し、この周波数別受信部２１は、周波数別送信部１６からのパイロットシンボルを受信する。また、この周波数別受信部２１は、送信元で、受信先で確実に受信させる優先度に応じて並べ換えが行なわれた後のデータを受信する。
【００３４】
電界強度測定部２２は、本発明の受信装置にいう受信電界強度変化検出部の一例に相当し、周波数別受信部２１でパイロットシンボルを受信したときの受信電界強度の時間変化を検出する。
【００３５】
移動平均外挿部２３は、電界強度測定部２２からの測定結果データを移動平均処理してコントローラ２４に出力する。
【００３６】
コントローラ２４は、これを受けて、伝送路のフェージング情報（周期、想定するフレーム周期とフェージング周期との時間のずれ等）をデータ送信部２９に出力する。
【００３７】
データ送信部２９は、電界強度測定部２２で検出された受信電界強度の時間変化の情報を含むデータを送信元である無線器１に向けて送信する。これにより、伝送路のフェージング情報が送信側の無線器１にメッセージとして送信される。
このメッセージは、無線器１に対し誤ることなく伝えるために、伝送速度を遅くする、冗長度を上げる、スペクトラム拡散であれば、拡散率を上げる等の手段を用いる伝送チャネルを利用することで対応できる。
【００３８】
マッパ２５は、本発明の受信装置にいうデータ復元部の一例に相当し、周波数別受信部２１で受信されたデータを、そのデータの送信元（無線器１）で行なわれたデータの並べ換えとは逆の並べ換えを行なって、その送信元でデータの並べ換えを行なう前のデータと同一のデータを復元する。
【００３９】
逆インターリーバ２６＿１，２６＿２は、インターリーブ処理されたデータ部分Ｐ，データ部分Ｓを構成するデータを逆インターリーブ処理して誤り訂正部２７＿１，２７＿２に出力する。
【００４０】
誤り訂正部２７＿１，２７＿２は、逆インターリーバ２６＿１，２６＿２からのデータ部分Ｐ，データ部分Ｓを構成するデータの誤り訂正処理を行ない、データ合成部２８に出力する。
【００４１】
データ合成部２８は、誤り訂正部２７＿１，２７＿２で誤り訂正処理が施されたデータ部分Ｐ，データ部分Ｓを構成するデータの双方を合成する。また、このデータ合成部２８は、例えばＰ部が誤っていて通信品質上問題が生じると判断される場合はデータ送信部２９に向けて再送要求を行なう。Ｓ部が誤っていた場合、再送要求をしない。
【００４２】
このように構成された送信側の無線器１と受信側の無線器２との間のデータ伝送にあたり、無線器１は、無線器２からの、最初の無線フレームにおけるパイロットシンボルにより、受信電界強度の時間変化の情報を取得する。ここで、無線器１のコントローラ１１が、例えば、その無線フレームの前半部分における受信電界強度が相対的に弱いと判定し、後半部分における受信電界強度が相対的に強いと判定した場合は、次の無線フレームの前半部分にデータ部分Ｓが、後半部分にデータ部分Ｐが送信されるように並べ換え送信データを送信する。ここで、データ部分Ｓは、送信されなくても多少品質が劣化する程度の、情報優先度が比較的低いデータ部分である。一方、データ部分Ｐは、送信されないとデータの実質的な情報量（価値）が損なわれる、情報優先度が比較的高いデータ部分である。
このように、２種類に情報を分割し、フェージング周期に応じて、良好な伝送路が期待される時間帯にデータ部分Ｐを、劣悪な伝送路が予想される時間帯にはデータ部分Ｓを送信する。また、無線器２では、データ部分Ｐが受信されれば、劣化による問題は実質的には解消されるため、再送要求を行なう必要もない。従って、伝送路のスループットを下げることなく、その伝送路におけるデータの品質を高めることができる。さらに、詳細に説明する。
【００４３】
図２は、受信側で受信される受信電界強度の時間変化パターン（Ａ），（Ｂ），（Ｃ）と、それら時間変化パターン（Ａ），（Ｂ），（Ｃ）に応じて並べ換えられた並べ換え送信データ（Ａ），（Ｂ），（Ｃ）を示す図である。
【００４４】
送受信方法により、通常のエラー発生率により定まる基準の受信レベル（基準レベル（Ｌ０））が想定され、受信強度が基準レベル（Ｌ０）以下になった場合（図２に示す点線以下の部分）は、エラー頻度が高まる。
【００４５】
一般にフェージングは、移動機器が移動される速度（例えば歩行による速度）に応じて周期が確定するため、それまでの受信状況から推定可能である。そこで、時間変化パターン（Ａ），（Ｂ），（Ｃ）の、点線で示す基準レベル（Ｌ０）以下の部分のように、受信品質の劣化が予想される場合は、より安定な受信品質が期待できる時間帯にデータ部分Ｐを送信し、それ以外の時間帯ではデータ部分Ｓを送信する。
【００４６】
簡単のために、１無線フレーム時間（例えば１０ｍｓｅｃ）に、データ部分Ｐおよびデータ部分Ｓを合わせたデータ（並べ換え送信データ）を送信する場合について説明する。実際には、複数の無線フレームにまたがって、ある単位を送信する場合もある。
【００４７】
図２に示すように、それまでの無線フレーム０までの情報から、次の無線フレーム１の受信電界強度の時間分布が予測されている場合、例えば、時間変化パターン（Ａ）と並べ換え送信データ（Ａ）の組み合わせのように、無線フレーム１の前半に受信電界強度が低下すると予測されている場合は、その前半にデータ部分Ｓを、後半にデータ部分Ｐをマッピング（並べ換え）することにより、より重要なデータ部分Ｐを確実に伝送することができる。逆に、時間変化パターン（Ｂ）と並べ換え送信データ（Ｂ）の組み合わせのように、後半に受信電界強度が低下することが予測されている場合は、前半にデータ部分Ｐを送信し、データ部分Ｓを後半に送信することにより対応する。また、時間変化パターン（Ｃ）と並べ換え送信データ（Ｃ）の組み合わせのように、無線フレーム１の中間部に受信電界強度が低下する場合は、その中間部にデータ部分Ｓを、その中間部の前後にデータ部分Ｐを送信する。
【００４８】
伝送データフレームの転送される時間は、通常の無線フレーム（１０ｍｓｅｃ，２０ｍｓｅｃなど）の時間に相当する。または、そのＮ倍に相当する。一般には、複数の無線フレームにまたがって、データ部分Ｐ，データ部分Ｓを合わせた一連のデータを送信する。その場合も、予測される伝送路における伝送状況の悪化に応じて、データ部分Ｐ，データ部分Ｓを上述したようにマッピングして送信することにより対応することができる。
【００４９】
伝送データフレーム中に転送されるデータはデータ部分Ｐ，データ部分Ｓなど各部ごとに１つないしは複数のエラーチェック（ＣＲＣエラーチェック、チェックサム，パリティなど）コードを、誤り訂正のためにある規則にしたがってエンコードした後に、フェージング、熱雑音などの影響をさけるために、データ部分Ｐ，データ部分Ｓが混在しないように、送受信器双方できまった順序をある規則にしたがって入れ替える（インターリーブ）。
【００５０】
また、送信データの構成として、送信データのどの部分がデータ部分Ｐ，データ部分Ｓであるかの情報（Ｆｏｒｍａｔ識別子、パケット通番等）を、データ部分Ｐに載せて送信すれば品質の劣化をさらに低減することができる。また、データ部分Ｐ，データ部分Ｓに共通のヘッダを設けＰ部Ｓ部の両者に前記情報をもたせる事により、例えばＦｏｒｍａｔ識別子をより確実に伝達させる事で、品質の劣化をさらに低減することもできる。
【００５１】
図３は、受信データを送信側に渡すためのフォーマットを示す図である。
【００５２】
受信データを送信側に渡すためのフォーマット（Ｔｒａｎｓｍｉｔ  Ｆｏｒｍａｔ  Ｉｄｅｎｔｉｆｉｅｒ；ＴＦＩ）は、図３（ａ）に示すように、受信データのチャネルＣ０とは別の転送チャネルＣ１で転送される。このＴＦＩは、送信するべきデータのフォーマットだけであるから、データの内容に比べて、ＴＦＩ白身のデータ転送レートは遅く、ある無線フレームひとつ分のデータ（３ＧＰＰの音声サービスの場合は、１２０ｂ（ビット）／Ｒｄｉｏ  Ｆｒａｍｅ）に対して、たとえぱ３０ビット程度で表現できるようなフォーマット数になる（前半にデータ部分Ｐ，後半にデータ部分Ｓなど単純化した場合は２ビット程度でよい）。簡単のために、３０ビットを送信することを考えると、あるコードで拡散したデータとそれとは異なるコードで拡散したＴＦｌを同時に送信する場合を例示すると、ある周期でＴＦＩをリピートさせることにより、データ部分Ｐの受信可能性よりも高い確度でＴＦ１を転送させることができる。
【００５３】
図３（ａ）では、ＴＦｌを別なコードを用いて変調した場合を示したが、同様に搬送波の周波数帯を変更して異なるバンドを用いた場合、図３（ｂ）に示すように、全体を時分割してＴＦＩをある間隔で埋め込んでもよい。このようにすると、ＴＦＩがリピートしている分だけ、より確実にデータのフォーマット情報を伝送することができる。
【００５４】
上述したように、本発明の送信装置および受信装置双方の第１実施形態は、送信データを優先度が高いデータ部分Ｐと優先度が低いデータ部分Ｓに分割して符号化し、さらにインターリーブ処理して、相対的に優先度が高い時間帯にデータ部分Ｐを送信するものであるため、受信データの品質の劣化が防止される。従って、伝送されるデータの品質を高めることができる。
【００５５】
次に、本発明の送信装置および受信装置双方の第２実施形態について説明する。第１実施形態では、１つのチャネルにおけるデータ通信の例で説明したが、第２実施形態では、複数のチャネルにおけるデータ通信が行なわれる。尚、第２実施形態の送信装置および受信装置のブロック図は、以下の点を除いて図１に示す第１実施形態の送信装置および受信装置のブロック図と同じであるため、第２実施形態の送信装置および受信装置のブロック図は省略する。
【００５６】
第２実施形態の送信装置には、図１に示す周波数別送信部１６に代わる周波数別送信部（本発明の送信装置にいうデータ送信部の他の一例に相当）が備えられている。この周波数別送信部は、送信データが並べ換えられた後の送信データ（データ部分Ｐおよびデータ部分Ｓ）を複数のチャネルを使って送信する。
【００５７】
また、第２実施形態の送信装置には、図１に示すコントローラ１１に代わるコントローラ（本発明の送信装置にいう受信電界強度変化取得部の他の一例に相当）が備えられている。このコントローラは、受信先における、上記複数のチャネルそれぞれについての受信電界強度の時間変化の情報を取得する。
【００５８】
さらに、第２実施形態の送信装置には、図１に示すマッパ１５に代わるマッパ（本発明の送信装置にいうデータ並べ換え部の他の一例に相当）が備えられている。このマッパは、データ分割部１２で分割された送信データを、上記複数のチャネルと、上記コントローラで取得した、それら複数のチャネルそれぞれの受信電界強度の時間変化とからなる２次元的な時間変化パターン上で、受信電界強度が相対的に強い領域に優先度が高いデータ部分を対応させたパターンに並べ換える。以下、具体的に説明する。
【００５９】
一般に、フェージングは周波数に依存していることが考えられる。そこで、第２実施形態では、各周波数成分における受信電界強度を測定することにより、どの周波数で受信強度が大きいかを測定し、その時系列変化（時間変化）を予測することによって周波数のバンド毎にフェージング予測を行なう。
【００６０】
図４は、受信側で受信される複数のチャネルにおける受信電界強度の時間変化パターンを示す図である。
【００６１】
図４には、ある時刻における、６つのチャネルに対応する６つの伝送周波数（伝送バンド）ｆ１，ｆ２，ｆ３，ｆ４，ｆ５，ｆ６が示されている。ここで、伝送バンドｆ１，ｆ２，ｆ３，ｆ４，ｆ５，ｆ６は、送受信システムとして定義されていれば良く、所定の周波数だけずれていても良いし、より不規則にずれていてもかまわない。図４に示すように、伝送バンドｆ１，ｆ５，ｆ６は受信電界強度の基準レベル以上であり、一方伝送バンドｆ２，ｆ３，ｆ４は基準レベルに達していない。そこで、本実施形態では、伝送バンドｆ１，ｆ５，ｆ６にデータ部分Ｐを対応させるとともに、伝送バンドｆ２，ｆ３，ｆ４にデータ部分Ｓを対応させるように、上記マッパで送信データを並べ換えることとする。
【００６２】
図５は、時刻毎に変化する受信電界強度の基準レベルに応じて並べ換えられた、各伝送バンドにおける各データ部分Ｐ，Ｓを示す図である。
【００６３】
ここで、時刻ｔ０では、図４に示すように、伝送バンドｆ１，ｆ５，ｆ６は受信電界強度の基準レベル以上であるものとする。このため、それら伝送バンドｆ１，ｆ５，ｆ６にデータ部分Ｐが割り振られる。一方、伝送バンドｆ２，ｆ３，ｆ４は基準レベルに達していないため、それら伝送バンドｆ２，ｆ３，ｆ４にはデータ部分Ｓが割り振られる。次の時刻ｔ１では、伝送路におけるフェージングの影響により、伝送バンドｆ１，ｆ４，ｆ５，ｆ６が基準レベル以上になるため、それら伝送バンドｆ１，ｆ４，ｆ５，ｆ６にデータ部分Ｐが割り振られる。一方、伝送バンドｆ２，ｆ３は基準レベルに達しないため、それら伝送バンドｆ２，ｆ３にはデータ部分Ｓが割り振られる。以下同様にして、時刻ｔ２では、伝送バンドｆ１，ｆ３，ｆ４，ｆ５，ｆ６にデータ部分Ｐが割り振られ、伝送バンドｆ２にはデータ部分Ｓが割り振られる。さらに、時刻ｔ３では、伝送バンドｆ３，ｆ４，ｆ５，ｆ６にデータ部分Ｐが割り振られ、伝送バンドｆ１，ｆ２にはデータ部分Ｓが割り振られる。このようにして、複数のチャネルを利用して受信データの品質の劣化を防止してもよい。
【００６４】
尚、本実施形態では、あらかじめわかっているデータとしてパイロットシンボルの例で説明したが、同期チャネル信号やプリアンブル等でもよい。また、優先度の高いデータ部分Ｐを含むデータの一例としては、ＭＰＥＧ２−Ｖｉｄｅｏ規格（ＩＳＯ／ＩＥＣ  １３８１８−２）におけるＤａｔａ  Ｐａｒｔｉｔｉｏｎｉｎｇ、ＳＮＲ  Ｓｃａｌａｂｌｉｙ等が提案されている。
【００６５】
【発明の効果】
以上説明したように、本発明の送信装置および受信装置によれば、伝送路のスループットを下げることなく、伝送されるデータの品質を高めることができる。
【図面の簡単な説明】
【図１】本発明の送信装置および受信装置双方の第１実施形態を示すブロック図である。
【図２】受信側で受信される受信電界強度の時間変化パターン（Ａ），（Ｂ），（Ｃ）と、それら時間変化パターン（Ａ），（Ｂ），（Ｃ）に応じて並べ換えられた並べ換え送信データ（Ａ），（Ｂ），（Ｃ）を示す図である。
【図３】受信データを送信側に渡すためのフォーマットを示す図である。
【図４】受信側で受信される複数のチャネルにおける受信電界強度の時間変化パターンを示す図である。
【図５】時刻毎に変化する受信電界強度の基準レベルに応じて並べ換えられた、各伝送バンドにおける各データ部分Ｐ，Ｓを示す図である。
【符号の説明】
１，２  無線器
１１，２４  コントローラ
１２  データ分割部
１３＿１，１３＿２，１３＿３  符号化部
１４＿１，１４＿２，１４＿３  インターリーバ
１５，２５  マッパ
１６  周波数別送信部
１７  データ受信部
２１  周波数別受信部
２２  電界強度測定部
２３  移動平均外挿部
２６＿１，２６＿２  逆インターリーバ
２７＿１，２７＿２  誤り訂正部
２８  データ合成部
２９  データ送信部
【図１】
2004236154.tif 000003
【図２】
2004236154.tif 000004
【図３】
2004236154.tif 000005
【図４】
2004236154.tif 000006
【図５】
2004236154.tif 000007